(57)【要約】【課題】  座金を底面に設置しなくても芯が倒れにくい芯構造体を埋設したキャンドルを提供する。【解決手段】  座金と、前記座金の上部に取り付けられた芯と、前記芯に通したガラス管と、前記座金の下部に取り付けられたプラスチック皿とからなる芯構造体を、２層又は３層以上のワックス層に埋設してキャンドルを構成する。  そして、プラスチック皿は、外周の縁が上に向いて内側に折り、中央に設けたスリット部分で座金の下部を挟み込んで固定する。  更に、芯構造体は、他のワックス層よりも高融点のワックス層の上に載置する。【選択図】図１
2010242048.tif 000002
【特許請求の範囲】
【請求項１】
座金と、前記座金の上部に取り付けられた芯と、前記芯に通したガラス管と、前記座金の下部に取り付けられたプラスチック皿とからなる芯構造体が、２層又は３層以上のワックス層に埋設されていることを特徴とするキャンドル。
【請求項２】
請求項１に記載のものであって、プラスチック皿は、外周の縁が上に向いて内側に折れており、前記プラスチック皿中央に設けたスリット部分で座金の下部を挟み込んで固定できることを特徴とするキャンドル。
【請求項３】
請求項１乃至請求項２に記載のものであって、芯構造体は、他のワックス層よりも高融点のワックス層の上に載置されていることを特徴とするキャンドル。
【発明の詳細な説明】
【技術分野】
【０００１】  座金をキャンドル底面に設置しなくても芯が倒れにくい芯構造体のキャンドルに関する。
【背景技術】
【０００２】  従来のキャンドルは、点灯後芯が途中で倒れて消えないよう芯を座金に固定して、該構造の座金が、キャンドルを構成するワックス層内の底面に埋設されている。
また、透明のワックス層下部にマスコットや石等を埋設して視覚的にも楽しめるキャンドルが増えてきている。
【特許文献１】実開平７−３３９６０
【特許文献２】特開２００６−２２２９２
【発明の開示】
【発明が解決しようとする課題】
【０００３】  しかしながら、ワックス層が透明であれば、マスコットや石等に混じって芯や座金の部分が見えてしまい、視覚性が損なわれる問題が生じていた。【０００４】  また、従来の構造のままで座金をワックス層の中央付近に埋設すれば、座金より下層部分の視覚性は解消できるが、キャンドルの炎で座金周辺のワックスが溶け始めると忽ち不安定になり、芯が傾く恐れがあった。【０００５】  そこで、座金をキャンドル底面に設置しなくても芯が倒れにくい芯構造体をもつキャンドルを提供する。
【課題を解決するための手段】
【０００６】  請求項１記載の発明は、
座金と、前記座金の上部に取り付けられた芯と、前記芯に通したガラス管と、前記座金の下部に取り付けられたプラスチック皿とからなる芯構造体が、２層又は３層以上のワックス層に埋設されていることを特徴とするキャンドル。【０００７】  請求項２記載の発明は、請求項１記載のものであって、
プラスチック皿は、外周の縁が上に向いて内側に折れており、前記プラスチック皿中央に設けたスリット部分で座金の下部を挟み込んで固定できることを特徴とする。【０００８】  請求項３記載の発明は、請求項１乃至請求項２記載のものであって、
芯構造体は、他のワックス層よりも高融点のワックス層の上に載置されていることを特徴とする。
【発明の効果】
【０００９】  本発明は以上説明したような形態で実施され、次のような効果を有する。【００１０】  請求項１記載の発明によれば、座金をキャンドル底面に設置せず、ワックス中層付近に埋設しても芯が倒れにくい。【００１１】  請求項２記載の発明によれば、
座金よりも面積の広いプラスチック皿の外周端が上向きに内側の折れていることにより、浮力が増すことで沈み込みを防ぐことが出来、スリット部分で固定することで、接着剤固定した場合に生じる、キャンドルの炎の熱により、固定部分が取れてしまうことを防ぐことが出来る。【００１２】  請求項３記載の発明によれば、
芯構造体を高融点ワックス層の上に設置することで、芯構造体付近は溶けにくく、芯が傾かず、更に芯構造体設置面より下層は、視覚性に優れた効果を得られる。
【発明を実施するための最良の形態】
【００１３】  座金と、前記座金の上部に取り付けられた芯と、前記芯に通したガラス管と、前記座金の下部に取り付けられたプラスチック皿とからなる芯構造体を、２層又は３層以上のワックス層に埋設してキャンドルを構成する。
そして、プラスチック皿は、外周の縁が上に向いて内側に折り、且つ中央に設けたスリット部分で座金の下部を挟み込んで固定する。
更に、芯構造体は、他のワックス層よりも高融点のワックス層の上に載置する。
【実施例】
【００１４】  以下、図面に基づいて本発明の実施例を詳細に説明する。
図１は、本発明のキャンドルの断面である。図２は、芯構造体の断面図である。図３は、プラスチック皿のスリット部分の図面である。【００１５】  まず、キャンドル容器１の半分付近までワックスを注ぎ、土台としての下部ワックス層２を形成する。次に下部ワックス層２よりも高融点のワックスで中層３を形成する。【００１６】  そして、該中層表面に芯構造体４をのせ、キャンドル容器１の上部まで高融点ワックスより低融点のワックスで該芯構造体を埋設し上部ワックス層５を形成する。【００１７】  このとき、下部ワックス層２は、無色透明、有色透明または有色でも構わないが、透明の場合、マスコット、石、造花などを埋設すれば、視覚性に優れたキャンドルを構成できる。【００１８】  また、中層３は、それほど厚く形成する必要はなく、ワックスの色は有色でも下部ワックス層にあわせても構わない。【００１９】  なお、本実施例では、３層からなるワックス層の中層部分を高融点のワックスにしたキャンドルについて述べているが、２層からなるワックス層にした場合、下層部分をすべて高融点のワックス層にしても本発明の効果を満たされる。【００２０】  そして、芯構造体４は、ガラス管６に通した芯７を座金８に取り付け、該座金下部を外周端が上向きで内側に折れたプラスチック皿９のスリット部分１０に挟み込んで固定したものである。【００２１】  ここで、プラスチック皿９は、断面図のように外周端が上向きに内側に折れた構造にすることで浮力を増し、キャンドルの炎で外周端が変形してもその浮力を保つことが出来る。【００２２】  なお、プラスチック皿９の平面形状は、円形が一番安定するが、中心から外周までの長さがほぼ一定で安定するものであれば、楕円形や多角形でも構わない。【００２３】  更に、プラスチック皿９の平面面積も特に限定しないが、座金底面の面積の９倍以上が望ましく、また、ガラス管の重さでプラスチック皿９の底が浮き上がらないようガラス管の長さを調整する必要がある。【００２４】  また、スリット部分１０は、図３のようにプラスチック皿９のほぼ中心位置に２ヶ所入れ、座金の平面の両端をスリット部分に差し込み、両スリットで挟み込んで固定し、芯構造体４の重心が中心に残るようにする。【００２５】  このように、スリット部分１０に挟み込んで固定することは、ボンド等接着剤固定した場合に生じる、キャンドルの炎の熱により、固定部分が取れてしまうことを防ぐ役割を持っている。【００２６】  なお、プラスチック皿９やガラス管６は、無色透明にすれば、上層のワックスが有色、無色透明又は有色透明でも透けて見えて目立つことは少ないが、逆に有色にしたり、石や図柄等でデコレートして上層ワックスを無色透明又は有色透明にしても良い。【００２７】  ここまで、実施例を通してキャンドル容器内に芯構造体を埋設したキャンドルの説明をしたが、キャンドルの炎で溶けない部分で壁面を成形できる場合は、容器を用いずとも良い。【００２８】  以上説明したように、好ましい実施例を挙げて本考案を説明したが、本考案はその実施例に限定されるものではなく、本考案の要旨の範囲内で種々に改変できる。
【図面の簡単な説明】
【００２９】
【図１】断面図
【図２】芯構造体
【図３】プラスチック皿のスリット部分
【符号の説明】
【００３０】  １  キャンドル容器
２  下部ワックス層
３  中層
４  芯構造体
５  上部ワックス層
６  ガラス管
７  芯
８  座金
９  プラスチック皿
１０  スリット
【図１】
2010242048.tif 000003
【図２】
2010242048.tif 000004
【図３】
2010242048.tif 000005